(57)【要約】【課題】プライバシを確保した状態で広い区画を確保することができる間仕切パネル装置を提供する。【解決手段】空間を共有スペースＳ１に沿って個室状区画Ｒに仕切る間仕切パネル装置１であって、個室状区画Ｒの開口端部４０，４０には、互いに回動可能に接続される複数の間仕切パネル１１，１２，１６，１７から成る間仕切パネル群１０，１５が回動可能に取付けられており、間仕切パネル群１０，１５の複数の間仕切パネル１１，１２，１６，１７の幅方向の合計の長さが開口端部４０，４０間の距離よりも長尺である。【選択図】図６
2019082082.tif 000002
【特許請求の範囲】
【請求項１】
空間を共有スペースに沿って個室状区画に仕切る間仕切パネル装置であって、
前記個室状区画の開口端部には、互いに回動可能に接続される複数の間仕切パネルから成る間仕切パネル群が回動可能に取付けられており、
前記間仕切パネル群の前記複数の間仕切パネルの幅方向の合計の長さが前記開口端部間の距離よりも長尺であることを特徴とする間仕切パネル装置。
【請求項２】
前記間仕切パネル群は、前記開口端部の一方側と他方側とに分割されるとともに、分割されたそれぞれの前記間仕切パネル群が前記開口端部の一方または他方に回動可能に取付けられていることを特徴とする請求項１に記載の間仕切パネル装置。
【請求項３】
隣接する前記個室状区画は、区画パネルによって仕切られており、前記間仕切パネル群は、共有スペース側かつ隣接する前記個室状区画側に開放できることを特徴とする請求項１または２に記載の間仕切パネル装置。
【請求項４】
前記間仕切パネル群は、隣接する前記間仕切パネルのパネル面同士を重ねることができることを特徴とする請求項１ないし３のいずれかに記載の間仕切パネル装置。
【請求項５】
前記間仕切パネル群は、フランス落としを有していることを特徴とする請求項１ないし４のいずれかに記載の間仕切パネル装置。
【請求項６】
前記個室状区画は、個室状病室であることを特徴とする請求項１ないし５のいずれかに記載の間仕切パネル装置。
【発明の詳細な説明】
【技術分野】
【０００１】
本発明は、空間を仕切るための間仕切パネル装置に関する。
【背景技術】
【０００２】
従来、複数の人が滞在する建物内の広い空間において、カーテンを用いて空間を仕切り、個室状区画を形成することで、個室状区画内における各人のプライバシを確保するものが知られている。一方で、カーテンは、容易に捲れ上がったり移動し隙間を生じやすいものであった。そこで、複数の間仕切パネルを連接して成る間仕切パネル装置用いて空間を仕切り、個室状区画を形成してプライバシを確実に確保していた。例えば、病院の建物内の部屋や空間に間仕切パネル装置を用いることで、プライバシが確保された個室状病室として利用されつつある（例えば、特許文献１）。
【０００３】
特許文献１のベッド用パーティション（間仕切パネル装置）は、対向するように配設される一対の固定パネルの開口端部間を可動パネルによって締め切ることで、ベッドが配置される個室状病室と共用スペースを仕切るようになっている。可動パネルは、一方側の開口端部に回動可能に取付けられた主パネルと、該主パネルの端部に回動可能に取付けられた延長パネルと、該延長パネルに収納・進出可能に取付けられたロールカーテンと、から構成されている。個室状病室は、ロールカーテンを他方側の開口端部に向かって進出させることでプライバシが確保された空間となるとともに、ロールカーテンを収納方向に操作することで延長パネルの端部と開口端部との間の間口を開放し、個室状病室への出入りが可能となっている。また、個室状病室は、ロールカーテンを延長パネルに収納し、該延長パネルを主パネルに重ねた状態で一方側の開口端部側を軸に回動させることにより、共有スペース側に大きな間口が確保される。これにより、ベッド等大型の物品の搬出入を行うことができるようになっている。
【先行技術文献】
【特許文献】
【０００４】
【特許文献１】特開平９−２５６５１９号公報（第４頁、第２図）
【発明の概要】
【発明が解決しようとする課題】
【０００５】
しかしながら、特許文献１にあっては、共有スペース側に大きな間口を確保した状態で大型の物品の搬出入等の作業や患者に対して医療行為に準じる処置等を行う際に、共有スペース側からその作業や処置等を視認される虞があり、プライバシを確保できないという問題がある。
【０００６】
本発明は、このような問題点に着目してなされたもので、プライバシを確保した状態で広い区画を確保することができる間仕切パネル装置を提供することを目的とする。
【課題を解決するための手段】
【０００７】
前記課題を解決するために、本発明の間仕切パネル装置は、
空間を共有スペースに沿って個室状区画に仕切る間仕切パネル装置であって、
前記個室状区画の開口端部には、互いに回動可能に接続される複数の間仕切パネルから成る間仕切パネル群が回動可能に取付けられており、
前記間仕切パネル群の前記複数の間仕切パネルの幅方向の合計の長さが前記開口端部間の距離よりも長尺であることを特徴としている。
この特徴によれば、間仕切パネル群は、個室状区画と共有スペースとを連通状態と非連通状態とに開閉可能な開閉機能と、共有スペース側に間仕切パネル群を展開することにより個室状区画側のプライバシを保った状態で共有スペース側に個室状区画を拡張する拡張機能と、を有している。これにより、プライバシを確保した状態で広い個室状区画を確保することができる。
【０００８】
前記間仕切パネル群は、前記開口端部の一方側と他方側とに分割されるとともに、分割されたそれぞれの前記間仕切パネル群が前記開口端部の一方または他方に回動可能に取付けられていることを特徴としている。
この特徴によれば、間仕切パネル群の展開の自由度が高く、種々の方向からの視線を遮ることができる。
【０００９】
隣接する前記個室状区画は、区画パネルによって仕切られており、前記間仕切パネル群は、共有スペース側かつ隣接する前記個室状区画側に開放できることを特徴としている。
この特徴によれば、共有スペース側に向けて間仕切パネル群をいわゆる観音開きに開放することにより、開口端部間が開放された大きな間口を確保できるため、大型の物品の搬出入が容易となる。
【００１０】
前記間仕切パネル群は、隣接する前記間仕切パネルの面同士を重ねることができることを特徴としている。
この特徴によれば、間仕切パネル群を折畳むことができるため、邪魔になり難い。
【００１１】
前記間仕切パネル群は、フランス落としを有していることを特徴としている。
この特徴によれば、出入口を形成する位置においてフランス落としで間仕切パネル群を係止可能とすることにより、出入口を形成する際の間仕切パネル群の位置決めが容易となる。
【００１２】
前記個室状区画は、個室状病室であることを特徴としている。
この特徴によれば、プライバシが確保された個室状病室を提供することができる。
【図面の簡単な説明】
【００１３】
【図１】本発明の実施例における間仕切パネル装置により形成された区画状病室の出入口が開放された状態を示す斜視図である。
【図２】実施例における間仕切パネル装置により形成された紙面手前側の区画状病室の出入口が閉鎖された状態を示す斜視図である。
【図３】実施例における個室状病室内からの視認可能な範囲を模式的に示した上面図である。
【図４】（ａ）は、実施例における間仕切パネル群を示す正面図であり、（ｂ）は、実施例における間仕切パネル群を示す上面図である。
【図５】（ａ），（ｂ）は、実施例における間仕切パネル群の態様を示す上面図である。
【図６】（ａ），（ｂ）は、実施例における間仕切パネル群の態様を示す上面図である。
【図７】変形例１における間仕切パネル装置の間仕切パネル群および第２支柱を示す正面図である。
【図８】変形例１における間仕切パネル装置により形成された個室状病室を示す上面図である。
【図９】（ａ），（ｂ）は、変形例２における間仕切パネル群を示す正面図である。
【発明を実施するための形態】
【００１４】
本発明に係る間仕切パネル装置を実施するための形態を実施例に基づいて以下に説明する。
【実施例】
【００１５】
実施例に係る間仕切パネル装置につき、図１から図６を参照して説明する。図３に示すように、壁Ｗに面する一つの空間が、間仕切パネル装置１により、６つの個室状病室Ｒを有する大部屋に仕切られている態様を例に説明する。図１，図２，図５，図６では、図３における一点鎖線で囲まれた領域Ａが図示されている。以下、対向する個室状病室Ｒ，Ｒ間の共有スペースＳ１側を個室状病室Ｒの正面側（前方側）とし、その共有スペースＳ１側から個室状病室Ｒを見たときの上下左右方向を基準として説明する。
【００１６】
本発明の間仕切パネル装置１は、病院の建物内の部屋や空間を小さな領域に仕切り、分割することにより、複数の個室状病室を形成するものである。尚、本実施例では、間仕切パネル装置１を用いて６つの個室状病室Ｒを有する大部屋に仕切り、各個室状病室ＲにはベッドＢが１台ずつ配置されるものとして説明する。
【００１７】
図１，図３，図５（ａ）に示されるように、間仕切パネル装置１は、天井Ｃから床Ｆに亘って配設された壁面パネル２と、該壁面パネル２の面に略垂直方向に連接され共有スペースＳ１側に延設される一対の区画パネル３，３と、該区画パネル３，３の共有スペースＳ１側の端部に固設された第２支柱４，４と、該第２支柱４，４に水平方向に回動可能に取付けられる第１間仕切パネル群１０および第２間仕切パネル群１５と、から構成されており、区画パネル３，３により隣接する個室状病室Ｒ、この個室状病室Ｒ側方（図３において壁Ｗと反対側）の共有スペースＳ２とは仕切られるとともに、第２支柱４，４、第１間仕切パネル群１０および第２間仕切パネル群１５により個室状病室Ｒ前方の共有スペースＳ１と仕切られることにより、上面視略長方形状の個室状病室Ｒが形成されている。一方、共有スペースは、共有スペースＳ１，Ｓ２により横向きＴ字状となっている。
【００１８】
また、第１間仕切パネル群１０と第２間仕切パネル群１５との間には、共有スペースＳ１と個室状病室Ｒとを行き来するための出入口Ｇ１（間口）が形成されており、該出入口Ｇ１は、図２に示されるように、第１間仕切パネル群１０の第１延長パネル１２によって閉鎖することができる。加えて、壁面パネル２、区画パネル３，３、第２支柱４，４、第１間仕切パネル群１０および第２間仕切パネル群１５は主に不透明の部材で形成されている。これらにより、共有スペースＳ１側からの視線を遮ることができるため、個室状病室Ｒ内のプライバシを確保し易い。
【００１９】
尚、個室状病室ＲにおいてベッドＢは、その頭部側が第２間仕切パネル群１５側に位置するとともに、その長尺方向が共有スペースＳ１に沿って配置されている。さらに尚、第１間仕切パネル群１０はベッドＢの足元側の第２支柱４に取付けられ、第２間仕切パネル群１５はベッドＢの頭部側の第２支柱４に取付けられている。ここで、個室状病室Ｒ内においてベッドＢの頭部側には透析装置Ｄが配置されている。
【００２０】
図１を参照し、壁面パネル２は、天井Ｃと床Ｆとに亘って立設された複数の第１支柱２０，２０，…と、対向する一対の第１支柱２０，２０に亘って固設されたパネル材２１，２２，２３と、によって形成されている。また、床Ｆ側に固設されるパネル材２２，２３は、ベッドＢの頭部側に複数の貫通孔から成り内部の中空部に連通する通気部Ｖを有し、通気部Ｖを介して空気が出入自在となっており、該中空部に輻射熱パネル部材を配置して個室状病室Ｒ内の温度を調整するようにしてもよい。尚、壁面パネル２の中空部には、断熱材や遮音材が充填されていてもよい。
【００２１】
区画パネル３は、壁面パネル２側の端部が該壁面パネル２の第１支柱２０に連結されており、下端部に配置されるスペーサやアジャスタ（図示略）によって高さ位置が調整されている。また、区画パネル３は、その高さ寸法が壁面パネル２の高さ寸法よりも短尺に形成されている。加えて、上方に立設する磨りガラス材３０を有している。これらにより、建物に配設されている窓や照明器具等を光源とする光が区画パネル３に遮られることなく個室状病室Ｒ内に入光することができるため、当該個室状病室Ｒの利用者に圧迫感を与え難く、一定量の光量を確保することができる。尚、個室状病室Ｒ内には、別途照明器具が配設されていてもよい。
【００２２】
第２支柱４は、その上下寸法が磨りガラス材３０を除く区画パネル３の上下寸法と略同一寸法に形成されており、区画パネル３に固設された状態において、第２支柱４それぞれの下端部に配置されるスペーサやアジャスタ（図示略）によって高さ位置が調整されている。また、第２支柱４，４の対向する側端部４０，４０（開口端部）には第１間仕切パネル群１０または第２間仕切パネル群１５が取付けられている。尚、本実施例においては、第２支柱４の上下寸法は、１５００ｍｍとして設定しているが、具体的な数値を限定するものではなく、以下の数値についても同様である。さらに尚、第２支柱４は、その上下寸法が区画パネル３，３の上下寸法と異なっていてもよく、その側端部４０が個室状病室Ｒ側に突出していてもよい。
【００２３】
次に、図４（ａ），（ｂ）を用いて、第１間仕切パネル群１０について説明する。第１間仕切パネル群１０は、第１主パネル１１（間仕切パネル）と、第１延長パネル１２（間仕切パネル）と、ヒンジ部材１３，１３と、から構成されており、第１主パネル１１は、その一方側の端部１１ｂがヒンジ部材１３を介して第２支柱４に取付けられており、第１延長パネル１２は、その一方側の端部１２ｂがヒンジ部材１３を介して第１主パネル１１の他方側の端部１１ｃに接続されている。
【００２４】
第１主パネル１１は、正面視略長方形状に形成されたパネル体１１Ａと、該パネル体１１Ａの下端部に取付けられるフランス落とし５およびキャスタ６と、を有し、パネル体１１Ａの上端からキャスタ６の下端にかけての上下寸法が第２支柱４の上下寸法と略同一寸法となっている。
【００２５】
フランス落とし５は、パネル体１１Ａの内部から該パネル体１１Ａの下方に向けて進退可能となっており、床Ｆに形成された孔部Ｈに挿脱される。このことから、第１主パネル１１の共有スペースＳ１側の面が共有スペースＳ１に沿って配置されるとともに、出入口Ｇ１を形成する位置に孔部Ｈを設け、フランス落とし５で第１間仕切パネル群１０を係止可能とすることにより、出入口Ｇ１を形成する際の第１間仕切パネル群１０の位置決めが容易となるとともに、出入口Ｇ１周りの外観良好となる。
【００２６】
第１延長パネル１２は、正面視略長方形状に形成されたパネル体１２Ａと、該パネル体１２Ａの下端部に取付けられるキャスタ６と、から構成されており、パネル体１２Ａの幅寸法は、第１主パネル１１のパネル体１１Ａの幅寸法よりも長尺となっている。
【００２７】
また、第１主パネル１１のパネル体１１Ａの厚み寸法は第２支柱４の厚み寸法よりも短尺となっており、第１延長パネル１２のパネル体１２Ａの厚み寸法はパネル体１１Ａの厚み寸法と略同一となっている。加えて、第１主パネル１１と第１延長パネル１２との面同士を重ねた状態における合計の厚み寸法は、第２支柱４の厚み寸法よりも長尺となっている。尚、本実施例において、パネルの面同士を重ねた状態と表現した際には、一対のパネルの面同士の接触の有無を問わず、互いに近接している状態を意味している。さらに尚、パネルの面同士を重ねた状態にある間仕切パネル群を、単に「折畳まれた間仕切パネル群」として記載することもある。
【００２８】
ヒンジ部材１３は、第１主パネル１１のパネル体１１Ａおよび第１延長パネル１２のパネル体１２Ａと略同一の高さ寸法に形成されており、上面視略８字状に形成されている支柱体１３ａに上下一対の連結体１３ｂ，１３ｂが二組回動自在に軸支され、互いに平行な二つの回動軸を有している（図４（ｂ）参照）。
【００２９】
また、ヒンジ部材１３は、上下一対の連結体１３ｂ，１３ｂを介して、第１主パネル１１の端部１１ｂ，１１ｃ、第１延長パネル１２の端部１２ｂの上下端部に接続されている。一方、第２支柱４に固定される連結体１３ｂ’，１３ｂ’については、側面視Ｌ字状に形成され、第２支柱４の側端部４０に固定されている。
【００３０】
第１間仕切パネル群１０は、上述したように高さ寸法が１５００ｍｍであるため、第１主パネル１１や第１延長パネル１２の上端部を把持しても操作することができる。尚、第１主パネル１１と第１延長パネル１２との両方または一方に把持部を設けてもよい。さらに尚、第１間仕切パネル群１０は、高さ寸法が１５００ｍｍよりも高くてもよく、この場合には把持部を設けると身長によらず把持が容易となるため好ましい。
【００３１】
また、第１間仕切パネル群１０は、キャスタ６，６により容易に移動操作することができる。尚、ヒンジ部材１３がトルクヒンジのように、所定以上の力が作用しない限り回動しない態様であってもよい。
【００３２】
また、第１間仕切パネル群１０は、第１主パネル１１のパネル体１１Ａ、第１延長パネル１２のパネル体１２Ａおよびヒンジ部材１３，１３が略同一の高さ寸法に形成されていることから、第１間仕切パネル群１０を展開したときの一体感を演出し易い。
【００３３】
図５（ａ）に示されるように、第２間仕切パネル群１５は、幅寸法が第１主パネル１１の幅寸法よりも長尺に形成された第２主パネル１６（間仕切パネル）と、幅寸法が第１延長パネル１２の幅寸法よりも長尺に形成された第２延長パネル１７（間仕切パネル）と、を有し、それ以外の構成については、第１間仕切パネル群１０と略同一構成であるため説明を省略する。
【００３４】
次に、図５，図６を用いて、第１間仕切パネル群１０および第２間仕切パネル群１５の位置の変更に伴う個室状病室Ｒの使用例について説明する。尚、以降の説明において、図５，図６に示される個室状病室Ｒの右側には、隣接する個室状病室Ｒが位置し、個室状病室Ｒの左側には、共有スペースＳ２が位置しているものとして説明する。
【００３５】
図５（ａ）に示されるように、第１間仕切パネル群１０および第２間仕切パネル群１５によって出入口Ｇ１が形成されている。このとき、第１主パネル１１および第２主パネル１６は、フランス落とし５，５が対応する孔部Ｈ，Ｈに挿入された状態であるため、第１延長パネル１２を回動して、出入口Ｇ１を開放または閉鎖しても第１主パネル１１および第２主パネル１６は移動しない。
【００３６】
ここで、第１間仕切パネル群１０および第２間仕切パネル群１５の幅寸法の合計の長さと、第２支柱４，４の側端部４０，４０間の距離とを比較すると、出入口Ｇ１を第１延長パネル１２で閉鎖した状態において、第２間仕切パネル群１５が折畳まれた状態であることから、第１間仕切パネル群１０および第２間仕切パネル群１５の幅寸法の合計の長さの方が、第２支柱４，４の側端部４０，４０間の距離よりも略第２延長パネル１７の幅寸法だけ長尺であることがわかる。加えて、第１間仕切パネル群１０を展開させることで、第１延長パネル１２の端部１２ｃが対向する個室状病室Ｒ側に当接可能な寸法、すなわち第１間仕切パネル群１０の幅寸法の合計の長さは共有スペースＳ１の短手方向の長さよりも長尺となっており、第２間仕切パネル群１５についても同様である。
【００３７】
図５（ｂ）に示されるように、折畳まれた第１間仕切パネル群１０を共有スペースＳ１側かつ共有スペースＳ２側に回動し、折畳まれた第２間仕切パネル群１５を共有スペースＳ１側かつ隣接する個室状病室Ｒ側に回動し、いわゆる観音開きに開放することにより、第２支柱４，４の側端部４０，４０間が開放された大出入口Ｇ２（大きな間口）を確保できる。この大出入口Ｇ２は、ベッドＢの長尺寸法よりも長尺であり、大型の物品の搬出入が容易となる。
【００３８】
また、大出入口Ｇ２を形成した状態の第２間仕切パネル群１５は、共有スペースＳ１側において隣接する個室状病室Ｒの第１間仕切パネル群１０の面に重なった状態とすることで、共有スペースＳ１を移動する人や物品の邪魔になり難くなっている。加えて、大出入口Ｇ２を形成した状態の第１間仕切パネル群１０および第２間仕切パネル群１５の停止位置は、第１間仕切パネル群１０および第２間仕切パネル群１５の回動可能な範囲において、適宜調節することができる。これにより、共有スペースＳ１，Ｓ２側に突出した状態となる第１間仕切パネル群１０であっても、その位置を適宜調整することにより、共有スペースＳ１，Ｓ２を移動する人や物品の邪魔になり難い。
【００３９】
図６（ａ）に示されるように、第１間仕切パネル群１０は、第１主パネル１１と第１延長パネル１２との間に介在するヒンジ部材１３を介して屈折され、上面視略く字状に展開された状態とされており、折畳まれた第２間仕切パネル群１５は、隣接する個室状病室Ｒの第１間仕切パネル群１０に重ねられた状態とされている。これにより、第２支柱４，４の側端部４０，４０間に大出入口Ｇ２を確保した状態で第１間仕切パネル群１０側の視界を遮ることができる。このため、例えば、ストレッチャＴを用いて人を搬送する際に、搬送される人を第１間仕切パネル群１０の共有スペースＳ１，Ｓ２側にいる人から見え難くすることができるため、搬送される人のプライバシ等を保護し易い。尚、第２間仕切パネル群１５の共有スペースＳ１側の視線を遮りたい場合には、第１間仕切パネル群１０と同様に上面視略逆く字状に展開するとよい。加えて、大出入口Ｇ２が確保されていることから、大出入口Ｇ２を介して個室状病室Ｒ内に大型の物品を搬出入することができる。
【００４０】
このようにして、第１間仕切パネル群１０または第２間仕切パネル群１５の展開の自由度が高く、種々の方向からの視線を遮ることができる。
【００４１】
また、第２間仕切パネル群１５は、上述したように、第２主パネル１６、第２延長パネル１７の幅寸法が第１間仕切パネル群１０の第１主パネル１１、第１延長パネル１２の幅寸法の幅寸法よりも長尺であることから、第１間仕切パネル群１０を上面視略く字状に展開するとともに、第２間仕切パネル群１５を共有スペースＳ１側において隣接する個室状病室Ｒの第１間仕切パネル群１０の面に重なった状態とした際に、第１延長パネル１２の端部１２ｃと第２間仕切パネル群１５が固定される第２支柱４との間の領域を広く確保し易い。
【００４２】
また、第１間仕切パネル群１０は各キャスタ６，６，…により支持されているため、この状態でストレッチャＴ等が接触しても、第１間仕切パネル群１０が移動してその衝撃を緩和することができる。
【００４３】
図６（ｂ）に示されるように、第１間仕切パネル群１０は、第１主パネル１１と第１延長パネル１２との間に介在するヒンジ部材１３を介して屈曲され、上面視略く字状に展開され、第２間仕切パネル群１５は、第１間仕切パネル群１０と同様に上面視略逆く字状に展開され、第１延長パネル１２の端部１２ｃと第２延長パネル１７の端部１７ｃとが近接した状態で停止されている。このようにして、第１間仕切パネル群１０と第２間仕切パネル群１５とを共有スペースＳ１側に突出させた状態で、共有スペースＳ１側からの視線を遮断することができる。換言すれば、大出入口Ｇ２と第１間仕切パネル群１０および第２間仕切パネル群１５との間に位置する共有スペースＳ１の一部が、大出入口Ｇ２を介して個室状病室Ｒに連続した状態となっており、共有スペースＳ１を利用してプライバシが保たれた個室状病室Ｒを拡張することができる。加えて、ベッドＢの短尺方向側の領域が拡張されている。尚、端部１２ｃと端部１７ｃとを当接させてもよい。
【００４４】
個室状病室Ｒを拡張することにより、拡張前の個室状病室Ｒでは対応が難しい作業や処置（例えば、大型の物品の搬出入等の作業や患者に対して医療行為に準じる処置等）を好適に行うことができる。すなわち、必要に応じて個室状病室Ｒを共有スペースＳ１に拡張することにより、作業や処置に必要な領域を確保することができることから、出入口Ｇ１が形成された状態の個室状病室Ｒ内の領域内に、作業や処置に必要な領域を確保しなくともよいため、空間を有効活用することができる。換言すれば、作業や処置に必要な領域を確保した病室を配置することと比較して、共有スペースＳ１を作業や処置に必要な領域として活用することを前提として個室状病室Ｒを多く配置できる。
【００４５】
また、対向する個室状病室Ｒ，Ｒを同時に拡張することはほとんどないため、共有スペースＳ１と第１間仕切パネル群１０および第２間仕切パネル群１５との寸法関係を次のようにすることで、個室状病室Ｒを多く配置することができることから好ましい。すなわち、第１間仕切パネル群１０および第２間仕切パネル群１５を直線上に展開させた状態で、端部１２ｃおよび端部１７ｃが対向する個室状病室Ｒ側に当接可能な寸法関係寸法関係とする。
【００４６】
加えて、次ぎのような寸法関係とすることにより、個室状病室Ｒを多く配置することと共有スペースＳ１を通路として用いることを両立できることから更に好ましい。すなわち、第１間仕切パネル群１０および第２間仕切パネル群１５を直線上に展開させた状態で、端部１２ｃおよび端部１７ｃが対向する個室状病室Ｒ側に当接可能な寸法関係、かつ、図６（ｂ）に示されるように第１間仕切パネル群１０および第２間仕切パネル群１５を上面視略く字状に展開させ、端部１２ｃおよび端部１７ｃを互いに近接または当接させた状態で、第１延長パネル１２および第２延長パネル１７と対向する個室状病室Ｒとの間に人が通過できる程度の隙間が形成される寸法関係とする。
【００４７】
次に、図３を用いて、個室状病室Ｒ内からの視認可能な範囲を例に、利用者間のプライバシについて説明する。
【００４８】
図３に示されるように、共有スペースＳ１を挟んで対向して配置される各個室状病室Ｒ，Ｒは、点対称に配置されており、ベッドＢの頭部側が第２間仕切パネル群１５側に位置している。これにより、出入口Ｇ１が形成された個室状病室Ｒ内において、利用者がベッドＢに横になると、一点鎖線で示された略扇状の範囲内が主に視認可能な領域となる。このとき、各利用者の視認可能な領域が互いに交差することがなく、他の個室状病室Ｒ内が視認可能な領域に含まれないことから、出入口Ｇ１が第１延長パネル１２に閉鎖されていない状態であっても、利用者間のプライバシが確保されている。
【００４９】
また、図２および図３の領域Ａに対面する個室状病室Ｒに示されるように、出入口Ｇ１を第１延長パネル１２によって閉鎖した状態であれば、確実に共有スペースＳ１側から個室状病室Ｒ内を視認することができなくなり、同様に個室状病室Ｒ側から共有スペースＳ１内を視認することができなくなり、各個室状病室Ｒ毎により確実にプライバシを確保することができる。
【００５０】
以上のことから、本実施例における間仕切パネル装置１は、プライバシが確保された個室状病室Ｒを提供することができる。また、第１間仕切パネル群１０および第２間仕切パネル群１５は、個室状病室Ｒと共有スペースＳ１とを連通状態と非連通状態とに開閉可能な開閉機能と、共有スペースＳ１側に第１間仕切パネル群１０、第２間仕切パネル群１５を展開することにより個室状病室Ｒ側のプライバシを保った状態で共有スペースＳ１側に個室状病室Ｒを拡張する拡張機能と、を有している。これにより、プライバシを確保した状態で広い個室状病室Ｒを確保することができる。
［変形例１］
【００５１】
次に、図７，８を用いて、間仕切パネル装置１の変形例１について説明する。尚、前記実施例に示される構成部分と同一構成部分に付いては同一符号を付して重複する説明を省略する。
【００５２】
前記実施例の第１間仕切パネル群１０は、ヒンジ部材１３，１３を介して第２支柱４，４に回動可能に取付けられている態様として説明したが、間仕切パネル装置１０１の第３間仕切パネル群１１０は、第３主パネル１１１のパネル体１１１Ａの端部１１１ｂの上下端部に形成された軸受孔１１１ｄ，１１１ｅに遊嵌される連結軸部材１１４の軸体１１４ａまたは連結軸部材１１４’の軸体１１４ａ’を介して、第２支柱４の側端部４０に固設された第２支柱１０４に回動可能に取付けられている。
【００５３】
一方、間仕切パネル装置１０１の第４間仕切パネル群１１５は、第３間仕切パネル群１１０と同様に、個室状病室Ｒ側に突出した第２支柱１０４’に回動可能に取付けられており、それ以外の態様については、第２間仕切パネル群１５および第３間仕切パネル群１１０と略同一態様であるため説明を省略する。尚、第２支柱１０４’の隣接する個室状病室Ｒ側の側端面１４０’には、第２支柱１０４が固設されている。すなわち、隣接する個室状病室Ｒ，Ｒの間に配設される区画パネル３には、第２支柱１０４，１０４’が固設されている。
【００５４】
間仕切パネル装置１０１は、第３間仕切パネル群１１０の第３主パネル１１１および第３延長パネル１１２、並びに、第４間仕切パネル群１１５の第４主パネル１１６および第４延長パネル１１７により、間仕切パネル装置１と同様に、個室状病室Ｒを拡張することができる。また、ヒンジ部材１３を介さず第３間仕切パネル群１１０および第４間仕切パネル群１１５が第２支柱１０４，１０４’に取付けられていることから、第３主パネル１１１、第４主パネル１１６と第２支柱１０４，１０４’との一体感を演出し易い。
［変形例２］
【００５５】
次に、図９（ａ），（ｂ）を用いて、第１間仕切パネル群１０の変形例２について説明する。尚、前記実施例および変形例１に示される構成部分と同一構成部分に付いては同一符号を付して重複する説明を省略する。さらに尚、第２間仕切パネル群１５の変形例２については、第１間仕切パネル群１０の変形例と略同一構成であるため説明を省略する。
【００５６】
前記実施例の第１間仕切パネル群１０は、第１主パネル１１と第１延長パネル１２とをヒンジ部材１３を介して折畳むことができる態様として説明したが、第５間仕切パネル群２１０は、第５主パネル２１１内に、第５延長パネル２１２を収納可能に形成された中空状の空間を有しており、第５延長パネル２１２が第５主パネル２１１の中空状の空間から該第５主パネル２１１の面に沿って進退可能となっている。
【００５７】
また、第５延長パネル２１２に固定されるヒンジ部材２１３は、第５延長パネル２１２に固定されない連結体２１３ｂ，２１３ｂが側面視Ｌ字状に形成され、第５主パネル２１１の開口部の上下端部に連結体２１３ｂ，２１３ｂが当接可能に配設されたストッパ２１４，２１４により、第５延長パネル２１２の脱落が防止されるとともに、ストッパ２１４で連結体２１３ｂを支持することによりヒンジ部材２１３を介して第５延長パネル２１２を水平方向に回動させることができるとともに、第５主パネル２１１と第５延長パネル２１２とを重ねて、第５間仕切パネル群２１０を折畳むことができる。尚、第５間仕切パネル群２１０は折畳めない態様であってもよい。
【００５８】
第５間仕切パネル群２１０は、第５主パネル２１１内に第５延長パネル２１２を収納した際の厚み寸法を、折畳まれた第１間仕切パネル群１０の厚み寸法よりも短尺にすることができる。すなわち、第５間仕切パネル群２１０を展開しない状態において、第５間仕切パネル群２１０を配置するために必要な領域が狭くてよいことから、より空間を有効活用し易い。尚、第２間仕切パネル群１５と比較した際の説明については、上記説明と略同様であるため省略する。さらに尚、第１間仕切パネル群１０、第２間仕切パネル群１５および第５間仕切パネル群２１０は、適宜組み合わせて使用してもよい。
【００５９】
以上、本発明の実施例を図面により説明してきたが、具体的な構成はこれら実施例に限られるものではなく、本発明の要旨を逸脱しない範囲における変更や追加があっても本発明に含まれる。
【００６０】
例えば、上記実施例においては、間仕切パネル装置１により、間仕切パネル装置１を用いて個室状病室Ｒを形成する態様として説明したが、これに限らず、宿泊施設、アミューズメント施設、教育施設、飲食店等において個室状区画を形成するために使用されてもよく、一つの個室状病室（区画）だけが形成される態様であってもよい。
【００６１】
また、間仕切パネル装置１は、第１間仕切パネル群１０および第２間仕切パネル群１５を有する態様として説明したが、これに限らず、一つの間仕切パネル群が、第２支柱４，４間に配設され、該一つの間仕切パネル群によって個室状区画が拡張可能な態様であってもよく、第２支柱４，４の一方側には間仕切パネル群が配置され他端側には間仕切パネルが配置される態様であってもよい。
【００６２】
また、間仕切パネル装置１によって共有スペースＳ１に沿って６つの個室状病室Ｒを有する大部屋に仕切られている態様を例に説明してきたが、これに限らず、共有スペースＳ１に沿って形成される個室状病室Ｒが１つ以上形成されていればよく、個室状病室Ｒ，Ｒが共有スペースＳ１を挟んで対向して配置されていなくともよく、個室状病室Ｒ，Ｒがいわゆる背中合わせに配置されていてもよく、限定するものではない。
【００６３】
また、間仕切パネル装置１は、壁面パネル２、区画パネル３，３、第２支柱４，４、第１間仕切パネル群１０および第２間仕切パネル群１５により構成される態様として説明したが、これに限らず、壁面パネル２や区画パネル３の代わりに建物の壁が利用されたり、壁面パネル２の代わりに区画パネル３が用いられたりしてもよく、このようにして仕切られた共有スペースＳ１との境界部分に第１間仕切パネル群１０、第２間仕切パネル群１５を配置することで個室状区画が形成されてもよい。
【００６４】
また、壁面パネル２、区画パネル３，３、第２支柱４，４、第１間仕切パネル群１０および第２間仕切パネル群１５は主に不透明の部材で形成されている態様として説明したが、これに限らず、一部にガラスが嵌合されていたり、全体が半透明の部材や透明部材で形成されていたりしてもよい。
【００６５】
第１間仕切パネル群１０は、フランス落とし５と孔部Ｈによって出入口Ｇ１を形成するための位置決めがなされる態様として説明したが、これに限らず、キャスタ６の回転を規制するような規制手段や、キャスタ６が遊嵌可能な凹部が形成されている等の態様であってもよい。
【００６６】
また、第１間仕切パネル群１０または第２間仕切パネル群１５の自重が各キャスタ６，６，…に作用することにより容易に移動することが防止されている態様として説明したが、これに限らず、キャスタ６の回転を規制するような規制手段や、フランス落とし５を挿入可能な孔部が複数形成されていてもよい。
【００６７】
第１間仕切パネル群１０の端部１２ｃおよび第２間仕切パネル群１５の端部１７ｃには、磁石、フック、錠等が配置されていてもよく、端部１２ｃと端部１７ｃとを近接させた状態を保持可能としてもよい。
【００６８】
また、第１間仕切パネル群１０および第２間仕切パネル群１５は、ヒンジ部材１３を有する態様として説明したが、これに限らず、平蝶番、自由蝶番等の他のヒンジや、主パネルや延長パネルの上下端部に軸を遊嵌した状態で固定することによって回動可能に形成されていてもよく、ヒンジ部材１３に限定するものではない。
【００６９】
区画パネル３、第２支柱４、第１間仕切パネル群１０、第２間仕切パネル群１５および第５間仕切パネル群２１０は、天井Ｃから床Ｆに亘って配設されていてもよく、第１間仕切パネル群１０、第２間仕切パネル群１５および第５間仕切パネル群２１０には把持部が形成されていてもよい。
【符号の説明】
【００７０】
１                間仕切パネル装置
３                区画パネル
５                フランス落とし
１０              第１間仕切パネル群
１１              第１主パネル（間仕切パネル）
１２              第１延長パネル（間仕切パネル）
１５              第２間仕切パネル群
１６              第２主パネル（間仕切パネル）
１７              第２延長パネル（間仕切パネル）
４０              側端部（開口端部）
１１０            第３間仕切パネル群
１１１            第３主パネル（間仕切パネル）
１１２            第３延長パネル（間仕切パネル）
１１５            第４間仕切パネル群
１１６            第４主パネル（間仕切パネル）
１１７            第４延長パネル（間仕切パネル）
２１０            第５間仕切パネル群
２１１            第５主パネル（間仕切パネル）
２１２            第５延長パネル（間仕切パネル）
Ｇ１              出入口（間口）
Ｇ２              大出入口（大きな間口）
Ｒ                個室状病室
Ｓ１，Ｓ２        共有スペース
【図１】
2019082082.tif 000003
【図２】
2019082082.tif 000004
【図３】
2019082082.tif 000005
【図４】
2019082082.tif 000006
【図５】
2019082082.tif 000007
【図６】
2019082082.tif 000008
【図７】
2019082082.tif 000009
【図８】
2019082082.tif 000010
【図９】
2019082082.tif 000011